(57)【要約】 【課題】  低コストで、光学部品の取付け精度の安定化を図るとともに、生産性を向上することができる光ピックアップ装置およびその組立て方法を提供する。【解決手段】  光源３２，４０、プリズム３３、コリメートレンズ３５およびミラー３６などの複数の光学部品を、治具４７に位置決めして搭載し、ハウジング４６に嵌合孔５１〜５３を形成し、各嵌合孔５１〜５３に治具４７に搭載された各光学部品を嵌合させ、各光学部品を嵌合孔５１〜５３に臨む内周部に接着剤によって接着する。【選択図】      図１
2009076130.tif 000002
【特許請求の範囲】
【請求項１】
光情報記録媒体にレーザビーム光を照射して、情報を光学的に書き込み、または前記光情報記録媒体に記録された情報を光学的に読み出す光ピックアップ装置であって、
前記光情報記録媒体に照射されるレーザビーム光を出射する光源と、
前記光源から出射されたレーザビーム光の方向を変化させるプリズムと、
前記光源から出射された非平行なレーザビーム光を平行光に変換するコリメートレンズと、
前記光源、プリズムおよびコリメートレンズが搭載されるハウジングとを含み、
前記光源、プリズムおよびコリメートレンズは、前記ハウジングに離間した状態で接着されることを特徴とする光ピックアップ装置。
【請求項２】
前記ハウジングには、このハウジングの厚み方向に貫通し、前記光源、プリズムおよびコリメートレンズがそれぞれ嵌合する複数の嵌合孔が形成され、各嵌合孔に前記光源、プリズムおよびコリメートレンズが嵌合した状態で、前記ハウジングの各嵌合孔に臨む内周部に、前記光源、プリズムおよびコリメートレンズが接着されることを特徴とする請求項１に記載の光ピックアップ装置。
【請求項３】
前記ハウジングの各嵌合孔に臨む各内周部には、面内方向に突出する庇部分がそれぞれ形成され、各内周部の庇部分に、前記光源、プリズムおよびコリメータレンズが接着されることを特徴とする請求項２に記載の光ピックアップ装置。
【請求項４】
前記各庇部分は、前記光源、プリズムおよびコリメートレンズの各光軸に近接する方向に各嵌合孔の内周部から内方に突出して形成されることを特徴とする請求項３に記載の光ピックアップ装置。
【請求項５】
前記ハウジングは、合成樹脂から成ることを特徴とする請求項１〜４のいずれか１つに記載の光ピックアップ装置。
【請求項６】
光情報記録媒体に照射されるレーザビーム光を出射する光源と、前記光源から出射されたレーザビーム光の方向を変換するプリズムと、前記光源から出射された非平行なレーザビーム光を平行光に変換するコリメートレンズとを含む複数の光学部品を、治具に位置決めして搭載した後、各光学部品を前記治具に搭載された状態でハウジングに接着することを特徴とする光ピックアップ装置の組立て方法。
【請求項７】
前記各光学部品は、前記治具に搭載された状態で、光軸方向、光軸直角方向および光軸まわりに位置調整されることを特徴とする請求項６に記載の光ピックアップ装置の組立て方法。
【請求項８】
前記ハウジングには、前記治具に搭載された各光学部品がそれぞれ嵌合する複数の嵌合孔が形成され、各嵌合孔に前記治具に搭載された各光学部品を嵌合させた状態で、各光学部品をハウジングに接着することを特徴とする請求項６または７に記載の光ピックアップ装置の組立て方法。
【発明の詳細な説明】
【技術分野】
【０００１】
本発明は、光ディスクなどの光情報記録媒体に対する情報の光学的な書き込みおよび読み出しに用いられる光ピックアップ装置およびその組立て方法に関する。
【背景技術】
【０００２】
従来から、光情報記録媒体への光学的な情報の記録および再生には、光ピックアップ装置が用いられている。光ピックアップ装置は、例えばレーザ光源から出射されたレーザビーム光を、プリズムによって方向を変化させた後、非平行なレーザビーム光をコリメートレンズによって平行光に変換し、この平行光をミラーによって反射し、対物レンズによって集光して、光情報記録媒体の記録面に照射し、情報を光情報記録媒体の記録面に光学的に書き込み、または記録面からの反射光を用いて記録面に記録された情報を光学的に読み出すことができるように構成されている。前記光情報記録媒体は、たとえばＣＤ（
Compact Disk）およびＤＶＤ（Digital Versatile Disk）などの光ディスクである。
【０００３】
図１６は従来技術の光ピックアップ装置１を示す平面図であり、図１７は光ピックアップ装置１の底面図であり、図１８は図１６の切断面線Ａ−Ａから見た断面図である。図１９は図１６の切断面線Ｂ−Ｂから見た断面図であり、図２０は図１６の切断面線Ｃ−Ｃから見た断面図であり、図２１は図１６の切断面線Ｄ−Ｄから見た断面図であり、図２２は図１６の切断面線Ｅ−Ｅから見た断面図であり、図２３は図１６の矢視Ｆから見た側面図である。なお、図１６は光ディスク８と対向する平面を示し、図１７は光ディスク８に対向する面と反対側から見た底面を示す。
【０００４】
光ピックアップ装置１において、光源であるＤＶＤレーザユニット２から出射されるレーザビーム光は、プリズム３によって反射されて光経路を屈折させ、１／４波長板４を透過して直線偏光から円偏光に変換され、円偏光に変換された非平行なレーザビーム光は、コリメートレンズ５によって平行光に変換される。この平行光に変換されたレーザビーム光は、ミラー６によって反射された後、対物レンズ７によって集光され、情報記録媒体である光ディスク８の記録面に照射され、この記録面に情報が記録され、また記録面によって反射された反射光によって情報が再生される。
【０００５】
また、第２の光源であるＣＤレーザユニット１０から出射されたレーザビーム光は、ＮＡ変換レンズ１１によってＮＡ効率が上げられ、前記プリズム３を透過し、１／４波長板４を透過して直線偏光から円偏光に変換され、円偏光に変換された非平行なレーザビーム光は、コリメートレンズ５によって非平行なレーザビーム光が平行光に変換され、ミラー６によって反射された後、対物レンズ７によって集光し、光ディスク８の記録面に照射し、この記録面に情報が記録され、また記録面からの反射光によって情報が再生される。
【０００６】
前記光ディスク８の記録面によって反射された情報信号を含む反射光は、往時と同じ経路を経て、ＤＶＤレーザユニット２またはＣＤレーザユニット１０に設けられるホログラム１２，１３から分離され、図示しない受光素子によって受光され、電気信号に変換される。
【０００７】
また、ＤＶＤレーザユニット２から出射されたレーザビーム光の一部は、偏光ビームスプリッタ１４によって反射され、レーザ出力検出器１５に入射する。ＣＤレーザユニット１０からのレーザビーム光は、前記レーザ出力検出器１５に直接入射する。
【０００８】
ハウジング１６には、ＤＶＤレーザユニット２およびＣＤレーザユニット１０が直接固定され、前記プリズム３、１／４波長板４およびコリメートレンズ５などの各光学部品は、ハウジング１６に取付け精度を高めるために形成された位置決め部に、接着固定される。前記プリズム３は、レーザビーム光の光軸Ｌ１がハウジング１６の底部１７と平行となるように位置決めされ、光軸方向には、複数の位置決め突部１８，１９にプリズム３が当接することによって固定される。
【０００９】
ＮＡ変換レンズ１１およびコリメートレンズ５は、ハウジング１６の底部１７にＶ溝１９，２０に外周部が当接することによって位置決めされ、光軸方向には座部２１，２２によって位置決めされる。前記１／４波長板４は、ハウジング１６の底部１７に付設し、光線方向は光束に影響のないように１／４波長板４の外周部を支持するガイド部２３によって位置決めして固定される。また、前記ミラー６は、光軸に対して４５度傾斜したハウジング１６の受け面によって位置決めされ、その受け面に直接固定される。
【００１０】
前記プリズム３およびコリメートレンズ５は、前述したようにレーザビーム光を、光ディスク８および光信号を検出する受光素子などに導く重要な光学部品である。このため、プリズム３およびコリメートレンズ５の固定位置の精度がばらつくと、良好なレーザビーム光のビーム径に応じたスポット光の品質が確保できなくなり、スポット光が歪んで形成され、正確な情報の記録および再生ができなくなってしまう。
【００１１】
そのため、従来では、光ピックアップ装置１のハウジング１６に各光学部品を装着するに際しては、所望のスポット光が形成されるように、ハウジング１６の寸法精度を高くし、またハウジング１６の金型寸法を追い込んで、各光学部品の位置決め精度を高めている。
【００１２】
しかしながら、光ピックアップ装置１を量産する場合、ハウジング１６の作成には、金型を使用して生産する必要があり、当然寸法ばらつきによって位置決め精度が低下し、金型の増面および更新によって、性能確保のために追い込んだ初回品と全く同じものは作成できず、その都度、性能追い込みを行い、生産を立ち上げるまでに時間を要すると問題がある。
【００１３】
また、ハウジング１６の前記位置決め突部１８，１９などの位置決め部も複雑な形状となるため、金型のスライド機構も多く採用しなければならず、金型の修正や変更に手間を要するという問題がある。しかも、前述のばらつきを追い込むにも限界がある。そのため、他の従来技術では、一部の光学部品を調整して位置決めし、ハウジングに固定する手法が採用され、そのような先行技術は特許文献１に記載されている。
【００１４】
特許文献１の先行技術では、ハウジングに空間をあけて配置した光学部品をそれぞれ調整して位置決めし、透光性接着剤を光学面に塗布して接着し、全体を樹脂によって封止する技術が提案されるが、調整装置が複雑になり、透光性接着剤および封止樹脂の塗布、接着、硬化などの各工程の作業管理および設備導入のためのコストが高く、容易かつ安価に光ピックアップ装置を製造することができないという問題がある。
【００１５】
さらに他の従来技術は、たとえば特許文献２，３に記載されている。この先行技術では、所望の形状および品質を有する光スポットを、光ディスクの記録面上に形成するため、コリメートレンズの位置を調整するための位置調整手段を設けることが提案されるが、この先行技術は前述の特許文献１の先行技術と同様に、複雑な調整設備を必要とし、調整のために時間を要するという問題がある。
【００１６】
さらに他の従来技術は、たとえば特許文献４に記載されている。この先行技術では、半導体レーザの共振器の長さのばらつきによる戻り光のノイズを抑制するため、光路内に屈折率の異なる光学素子を設けて可動調整する技術が提案されるが、この先行技術もまた、前述の特許文献１の先行技術と同様に、ハウジング内に調整設備を設ける必要があり、構成が複雑化する。また、光学素子が異形であるため、加工性が悪く、部品コストが高価になるという問題がある。
【００１７】
【特許文献１】特開平４−１９０２０５号公報
【特許文献２】特開２００７−２６５４４号公報
【特許文献３】特開２００４−１２７４６９号公報
【特許文献４】特開２００６−６５９４８号公報
【発明の開示】
【発明が解決しようとする課題】
【００１８】
本発明の目的は、低コストで光学部品の取付け精度の安定化を図るとともに生産性を向上することができる光ピックアップ装置およびその組立て方法を提供することである。
【課題を解決するための手段】
【００１９】
本発明は、光情報記録媒体にレーザビーム光を照射して、情報を光学的に書き込み、または前記光情報記録媒体に記録された情報を光学的に読み出す光ピックアップ装置であって、
前記光情報記録媒体に照射されるレーザビーム光を出射する光源と、
前記光源から出射されたレーザビーム光の方向を変化させるプリズムと、
前記光源から出射された非平行なレーザビーム光を平行光に変換するコリメートレンズと、
前記光源、プリズムおよびコリメートレンズが搭載されるハウジングとを含み、
前記光源、プリズムおよびコリメートレンズは、前記ハウジングに離間した状態で接着されることを特徴とする光ピックアップ装置である。
【００２０】
本発明に従えば、光源から出射されたレーザビーム光は、プリズムによって方向が変更され、コリメートレンズによって非平行なレーザビーム光が平行光に変換され、こうして光情報記録媒体にレーザビーム光を照射して、光情報記録媒体に情報が光学的に書き込まれ、または光情報記録媒体に記録された情報が光学的に読み出される。
【００２１】
このような光ピックアップ装置において、前記光源、プリズムおよびコリメートレンズは、ハウジングに離間した状態で接着されるので、これらの光学部品をハウジングに対して直接位置決めする必要がなく、たとえば各光学部品を治具に位置決めされた状態で保持し、この治具に位置決めして保持された各光学部品とハウジングとを接着すればよいので、各光学部品の位置決めと、各光学部品のハウジングへの接着とを別途に行うことができ、組立て作業の自由度が向上され、形状の複雑なハウジングに対して各光学部品を高精度で位置決めするという煩雑な位置決め作業が簡素化される。
【００２２】
また本発明は、前記ハウジングには、このハウジングの厚み方向に貫通し、前記光源、プリズムおよびコリメートレンズがそれぞれ嵌合する複数の嵌合孔が形成され、各嵌合孔に前記光源、プリズムおよびコリメートレンズが嵌合した状態で、前記ハウジングの各嵌合孔に臨む内周部に、前記光源、プリズムおよびコリメートレンズが接着されることを特徴とする。
【００２３】
本発明に従えば、ハウジングには複数の嵌合孔が形成される。これらの嵌合孔は、前記ハウジングの厚み方向に貫通し、前記光源、プリズムおよびコリメートレンズを嵌合させることができるので、これらの光源、プリズムおよびコリメートレンズなどの光学部品を治具によって前述のように保持し、各光学部品をハウジング上に配置し、あるいは嵌合孔に嵌合させた状態で、各光学部品をハウジングに接着して取り付けることができ、各光学部品のハウジングに対する取付け位置の自由度が向上される。
【００２４】
さらに本発明は、前記ハウジングの各嵌合孔に臨む各内周部には、面内方向に突出する庇部分がそれぞれ形成され、各内周部の庇部分に、前記光源、プリズムおよびコリメータレンズが接着されることを特徴とする。
【００２５】
本発明に従えば、ハウジングの各嵌合孔に臨む内周部に庇部分が形成されるので、このような庇部分を利用して、各嵌合孔に嵌合させた各光学部品を庇部分に接着してハウジングに取付けることができる。このような庇部分と各光学部品とを接着することによって、前記庇部分を形成しない場合に比べて、接着剤の塗布および硬化のための作業が容易になり、そのような塗布および硬化のために複雑で高価な設備を用いる必要がなく、確実に高い位置決め精度で各光学部品をハウジングに取付けることが可能となる。
【００２６】
さらに本発明は、前記各庇部分は、前記光源、プリズムおよびコリメートレンズの各光軸に近接する方向に各嵌合孔の内周部から内方に突出して形成されることを特徴とする。
【００２７】
本発明に従えば、各嵌合孔に臨む内周部には、前記光源、プリズムおよびコリメートレンズなどの各光学部品の光軸に近接する方向に突出した庇部分が形成されるので、各光学部品は各庇部分に対して光軸に最も近い部分で接着され、ハウジングへの各光学部品の接着後における取付け状態の安定性が向上される。
【００２８】
さらに本発明は、前記ハウジングは、合成樹脂から成ることを特徴とする。
本発明に従えば、ハウジングを合成樹脂製とすることによって、成型品によって実現することが可能となり、ハウジングの軽量化および寸法精度の安定化を図り、生産性を向上することができる。
【００２９】
さらに本発明は、光情報記録媒体に照射されるレーザビーム光を出射する光源と、前記光源から出射されたレーザビーム光の方向を変換するプリズムと、前記光源から出射された非平行なレーザビーム光を平行光に変換するコリメートレンズとを含む複数の光学部品を、治具に位置決めして搭載した後、各光学部品を前記治具に搭載された状態でハウジングに接着することを特徴とする光ピックアップ装置の組立て方法である。
【００３０】
本発明に従えば、光源、プリズムおよびコリメートレンズなどの各光学部品は、治具に位置決めして搭載された状態でハウジングに接着されるので、各光学部品の位置決めと、各光学部品のハウジングへの接着とを別途に行うことができ、組立て作業の自由度が向上され、形状の複雑なハウジングに対して各光学部品を高精度で位置決めするという煩雑な位置決め作業が簡素化される。
【００３１】
さらに本発明は、前記各光学部品は、前記治具に搭載された状態で、光軸方向、光軸直角方向および光軸まわりに位置調整されることを特徴とする。
【００３２】
本発明に従えば、各光学部品を光軸方向、光軸直角方向および光軸まわりに個別に位置を調整するので、各光学部品を高精度で位置決めすることができる。
【００３３】
本発明は、前記ハウジングには、前記治具に搭載された各光学部品がそれぞれ嵌合する複数の嵌合孔が形成され、各嵌合孔に前記治具に搭載された各光学部品を嵌合させた状態で、各光学部品をハウジングに接着することを特徴とする。
【００３４】
本発明に従えば、ハウジングには複数の嵌合孔が形成され、各嵌合孔に治具に搭載された各光学部品を嵌合させた状態で、各光学部品がハウジングに接着されるので、これらの光学部品を治具によって保持し、各光学部品をハウジング上に配置し、あるいは嵌合孔に嵌合させた状態で、各光学部品をハウジングに接着して取り付けることができ、各光学部品のハウジングに対する取付け位置の自由度が向上される。
【発明の効果】
【００３５】
本発明の光ピックアップ装置によれば、治具に対して位置決めした状態で保持された各光学部品をハウジングに接着すればよいので、各光学部品の位置決めは、ハウジングではなく、治具上で行うことができ、位置決め作業を安定化することができる。また、複雑な形状に加工されている光ピックアップ装置のハウジングに対して各光学部品を位置決めする必要がないので、高精度の位置決めが可能であり、位置決め精度の向上を図ることができる。さらに、治具に対する各光学部品の位置決め作業と、各光学部品のハウジングへの接着作業とを別途に行うことができるので、各光学部品の治具に対する位置調整がハウジングに対して行う場合に比べて容易であり、しかも治具上に高精度で位置決めされた各光学部品とハウジングに対して接着すればよいので、各光学部品のハウジングへの取付け作業が容易である。したがって、光ピックアップ装置の組立て作業の効率を向上し、生産性を向上して、光ピックアップ装置の製造コストの削減を図ることができる。
【００３６】
また本発明によれば、ハウジングには嵌合孔が形成されるので、各光学部品をハウジングに対して任意の嵌合深さに配置して、各光学部品をハウジングに接着することができる。したがって、ハウジングに嵌合孔が形成されていない場合に比べて、各光学部品のハウジングに対する取付け位置の自由度が高くなり、各光学部品がハウジングに取付けられた状態における厚みを少なくすることでき、これによって光ピックアップ装置を小形化することができる。
【００３７】
さらに本発明によれば、ハウジングの各嵌合孔に臨む内周部に庇部分が形成されるので、各光学部品のハウジングへの接着が容易になり、生産性の向上および低コスト化を図ることができる。
【００３８】
さらに本発明によれば、各庇部分は各光学部品の光軸に向かって形成されるので、接着後のおける各光学部品の取付け安定性が向上され、各光学部品のハウジングに対する高い位置決め精度を維持し、各光学部品に位置決めに対する信頼性を向上することができる。
【００３９】
さらに本発明によれば、ハウジングを合成樹脂製とすることによって、成型品によって実現することが可能となり、ハウジングの軽量化および寸法精度の安定化を図り、生産性を向上することができる。
【００４０】
本発明の光ピックアップ装置の組立て方法によれば、治具に対して位置決めされた各光学部品をハウジングに接着するので、治具に対する各光学部品の位置決め作業および各光学部品のハウジングへの取付け作業を容易化し、光ピックアップ装置の組立て作業の効率を向上し、生産性を向上して、光ピックアップ装置の製造コストの削減を図ることができる。
【００４１】
また本発明によれば、各光学部品を光軸方向、光軸直角方向および光軸まわりに個別に位置を調整することができ、各光学部品を高精度で位置決めすることができる。
【００４２】
さらに本発明によれば、ハウジングの各嵌合孔に各光学部品を嵌合させた状態で各光学部品をハウジングに接着するので、各光学部品をハウジング上に配置し、あるいは嵌合孔に嵌合させた状態で、各光学部品をハウジングに接着して取り付けることができ、各光学部品のハウジングに対する取付け位置の自由度を向上することができる。
【発明を実施するための最良の形態】
【００４３】
図１は本発明の実施の一形態の光ピックアップ装置３０の平面図であり、図２は光ピックアップ装置３０の底面図であり、図３は図１の切断面線Ａ１−Ａ１から見た断面図である。なお、図１は光情報記録媒体としての光ディスクに対向する側から見た構成を示し、図２は光ディスクに対向する側とは反対側から見た構成を示す。
【００４４】
本実施の形態では、一例として、ＣＤ（compact disk）およびＤＶＤ（digital 
versatile disk）の各光ディスク３１に対して、光学的に情報を記録および／または再生することが可能ないわゆるスリムコンボピックアップ装置について説明する。光ピックアップ装置３０は、光源であるＤＶＤレーザユニット３２から出射されるレーザビーム光は、プリズム３３によって反射されて光経路を屈折させ、１／４波長板３４を透過して直線偏光から円偏光に変換され、円偏光に変換された非平行なレーザビーム光は、コリメートレンズ３５によって平行光に変換される。この平行光に変換されたレーザビーム光は、ミラー３６によって反射された後、対物レンズ３７によって集光され、情報記録媒体である光ディスク３１の記録面に照射され、この記録面に情報が書き込まれ、また記録面によって反射された反射光によって情報が読み出される。
【００４５】
また、第２の光源であるＣＤレーザユニット４０から出射されたレーザビーム光は、ＮＡ変換レンズ４１によってＮＡ効率が上げられ、前記プリズム３３を透過し、コリメートレンズ３５によって非平行なレーザビーム光が平行光に変換され、ミラー３６によって反射された後、対物レンズ３７によって集光し、光ディスク３１の記録面に照射され、この記録面に情報が記録され、また記録面からの反射光によって情報が再生される。
【００４６】
前記光ディスク３１の記録面によって反射された情報信号を含む反射光は、往時と同じ経路を経て、ＤＶＤレーザユニット３２またはＣＤレーザユニット４０に設けられるホログラム４２，４３から分離され、図示しない受光素子によって受光され、電気信号に変換される。
【００４７】
また、ＤＶＤレーザユニット３２から出射されたレーザビーム光の一部は、偏光ビームスプリッタ４４によって反射され、レーザ出力検出器４５に入射する。また、ＣＤレーザユニット４０からのレーザビーム光は、前記レーザ出力検出器４５に直接入射する。
【００４８】
前述のＤＶＤレーザユニット３２、プリズム３３、１／４波長板３４、コリメートレンズ３５、ミラー３６、ＣＤレーザユニット４０、ＮＡ変換レンズ４１およびホログラム４２，４３などの複数の光学部品は、後述の治具４７に位置決めされた状態で、ハウジング４６に形成された後述の第１〜第３嵌合孔５１，５２，５３に臨む内周部に接着剤によって接着される。前記接着剤としては、たとえば紫外線硬化型接着剤が用いられてもよく、あるいはエポキシ系接着剤であってもよい。
【００４９】
図４は図１の切断面線Ｂ１−Ｂ１から見た断面図であり、図５は図１の切断面線Ｃ１−Ｃ１から見た断面図であり、図６は図１の切断面線Ｄ１−Ｄ１から見た断面図であり、図７は図１の切断面線Ｅ１−Ｅ１から見た断面図であり、図８は図１の切断面線Ｆ１−Ｆ１から見た断面図であり、図９は図１の矢視Ｇ１から見た側面図である。前記ハウジング４６に形成された第１〜第３嵌合孔５１〜５３に臨む内周部には、各嵌合孔５１〜５３内に突出する各一対の庇部分５０ａ〜５０ｆがそれぞれ形成され、これらの庇部分５０ａ〜５０ｆに、前述のＤＶＤレーザユニット３２、プリズム３３、１／４波長板３４、コリメートレンズ３５、ミラー３６、ＣＤレーザユニット４０、ＮＡ変換レンズ４１およびホログラム４２，４３などの各光学部品が、図１４に関連して後述するように、接着部７９において個別に接着される。
【００５０】
図１０はハウジング４６を示す図であり、図１０（１）はハウジング４６の平面図であり、図１０（２）は図１０（１）の切断面線Ｈ−Ｈから見た断面図であり、図１０（３）はハウジング４６の底面図である。なお、図１０（１）の平面図は光ディスクに対向する側を示し、図１０（３）は光ディスクに対向する側とは反対側の表面を示す。前記ハウジング４６には、第１〜第３嵌合孔５１〜５３（図１０（１）および図１０（３）では図解を容易にするため、斜線を付して示す）と、第１および第２位置決め孔６１，６２とが、前記ハウジング４６の厚み方向に貫通して形成される。第１嵌合孔５１と第３嵌合孔５３とは、第１の直線Ｌ１上の光軸に沿って隣接して形成される。また、第１嵌合孔５１と第２嵌合孔５２とは、第２の直線Ｌ２上の光軸に沿って隣接して形成される。
【００５１】
このようなハウジング４６は、一般的に軽合金の亜鉛/アルミ/マグネシューム合金のダイキャストで形成されるが、材料コストや軽量化のために、代替材として合成樹脂から成る成型物によって実現される場合もある。前記合成樹脂は、耐熱性が高く、できるだけ熱収縮率が小さい合成樹脂が好ましく、そのような合成樹脂としては、たとえばＰＰＳ樹脂を用いることができる。
【００５２】
図１１は治具４７の平面図であり、図１２は図１１の右側から見た側面図であり、図１３は図１１の切断面線Ｊ−Ｊから見た断面図である。前述のＤＶＤレーザユニット３２、プリズム３３、１／４波長板３４、コリメートレンズ３５、ミラー３６およびＣＤレーザユニット４０などの各光学部品は、治具４７に高精度で位置決めして搭載される。治具４７は、基台６４と、基台６４に垂直に立設される第１〜第４支柱６５，６６，６７，６８と、基台６４に垂直に立設される第１および第２位置決めピン６９，７０とを有する。
【００５３】
第１支柱６５は、その基端部が基台６４に固定され、遊端部にはハウジング４６の摺動案内部８１，８２に挿通されたヒンジピン８０の軸線方向両端部が回動可能に軸支され、ハウジング４６をヒンジピン８０の軸線まわりに回動させて第２〜第４支柱６６〜６８上に配置し、第１および第２位置決めピン６９，７０がハウジング４６の第１および第２位置決め孔６１，６２に嵌合してハウジング４６が第１および第２位置決めピン６９，７０に支持されることによって、第２〜第４支柱６６〜６８に相互に位置決めされた状態で搭載される各光学部品が、ハウジング４６に対して位置決めされる。この状態では、各嵌合孔５３〜５５に臨む内周部に形成された各庇部分５０ａ〜５０ｆは各光学部品の光軸に近接する方向に突出して配置される。
【００５４】
また、第２支柱６６は、その基端部が基台６４に固定され、遊端部にはミラー３６、コリメートレンズ３５、１／４波長板３４、プリズム３３、ＮＡ変換レンズ４１およびレーザ出力検出器４５が位置決めして搭載される。さらに、第３支柱６７は、その基端部が基台６４に垂直に固定され、遊端部にはＤＶＤレーザユニット３２が位置決めして搭載される。第４支柱６８は、その基端部が基台５４に固定され、遊端部にはＣＤレーザユニット４０が位置決めして搭載される。
【００５５】
これらの第１〜第４支柱６５〜６８のうち前述のように光学部品が搭載される第２〜第４支柱６６〜６８の各遊端部の部品受け面は、上載されるべき各光学部品にそれぞれ対応した形状に形成され、高精度で各光学部品を位置決めして安定に支持することができるように構成されている。
【００５６】
図１４はハウジング４６に光学部品を搭載した治具４７を組み付けた状態を示す平面図であり、図１５は図１４の切断面線Ｋ−Ｋから見た断面図である。前記第２〜第４支柱６６〜６８の遊端部に各光学部品が位置決めして搭載されると、ハウジング４６の第１および第２位置決め孔６１，６２に前記治具４７の第１および第２位置決めピン６９，７０が嵌合するように、ハウジング４６を治具４７に組み付けると、ハウジング４６の各嵌合孔５１〜５３内に第１〜第４支柱６５〜６８が挿通し、各遊端部に搭載された前述のＤＶＤレーザユニット３２、プリズム３３、１／４波長板３４、コリメートレンズ３５、ミラー３６およびＣＤレーザユニット４０などの各光学部品は、第１〜第３嵌合孔５１〜５３に嵌合し、この状態で各庇部分５０ａ〜５０ｆと各光学部品とにわたって接着剤を塗布し、紫外線を照射して硬化させることによって、複数の接着部７９において各光学部品をハウジング４６に接着し、安定した接着状態で固定することができる。
【００５７】
このようにＤＶＤレーザユニット３２、ＣＤレーザユニット４０、プリズム３３およびコリメートレンズ３５およびミラー３６などの複数の光学部品は、ハウジング４６に離間した状態で接着部７０において接着されるので、これらの光学部品をハウジング４６に対して直接位置決めする必要がなく、各光学部品を図１２〜図１５に示すように、治具４７に位置決めされた状態で保持し、この治具４７に位置決めして保持された各光学部品とハウジング４６とを接着すればよいので、各光学部品の位置決めと、各光学部品のハウジング４６への接着とを別途に行うことができ、組立て作業の自由度が向上され、形状の複雑なハウジング４６に対して各光学部品を高精度で位置決めするという煩雑な位置決め作業が簡素化される。
【００５８】
また、ハウジング４６には複数の嵌合孔５１〜５３が形成され、これらの嵌合孔５１〜５３は、前記ハウジング４６の厚み方向に貫通し、前記光源であるＤＶＤレーザユニット３２、ＣＤレーザユニット４０、プリズム３３、コリメートレンズ３５およびミラー３６などの各光学部品を嵌合させることができるので、これらの光学部品を治具４７によって前述のように保持し、各光学部品をハウジング４６上に配置し、あるいは嵌合孔５１〜５３に嵌合させた状態で、各光学部品をハウジング４６に接着して取付けることができ、各光学部品のハウジング４６に対する取付け位置の自由度が向上される。
【００５９】
さらに、ハウジング４６の各嵌合孔５１〜５３に臨む内周部に庇部分５０ａ〜５０ｆが形成されるので、このような庇部分５０ａ〜５０ｆを利用して、各嵌合孔５１〜５３に嵌合させた各光学部品を庇部分５０ａ〜５０ｆに接着し、ハウジング４６に取付けることができる。このような庇部分５０ａ〜５０ｆと各光学部品とを接着することによって、前記庇部分５０ａ〜５０ｆを形成しない場合に比べて、接着剤の塗布および硬化のための作業が容易になり、そのような塗布および硬化のために複雑で高価な設備を用いる必要がなく、確実に高い位置決め精度で各光学部品をハウジング４６に取付けることが可能となる。
【００６０】
さらに、前述の各庇部分５０ａ〜５０ｆは、各嵌合孔５１〜５３に臨む内周部に、前記ＤＶＤレーザユニット３２、ＣＤレーザユニット４０、プリズム３３、コリメートレンズ３６およびミラー３６などの各光学部品の光軸に近接する方向に突出して形成されるので、各光学部品は各庇部分５０ａ〜５０ｆに対して光軸に最も近い部分で接着され、ハウジング４６への各光学部品の接着後における取付け状態の安定性が向上される。
【００６１】
さらに、ハウジング４６を合成樹脂製とすることによって、成型品によって実現することが可能となり、ハウジング４６の軽量化および寸法精度の安定化を図り、生産性を向上することができる。
【００６２】
本発明の実施の他の形態では、たとえば第２支柱６６をプリズム３３およびホログラム４３が上載される部分、１／４波長板３４およびコリメートレンズ３５が上載される部分、およびミラー３６が上載される部分などに複数に分割することによって、これらの各光学部品を光軸方向、光軸直角方向および光軸まわりに個別に位置を調整することができるので、各光学部品を高精度で位置決めすることができる。
【図面の簡単な説明】
【００６３】
【図１】本発明の実施の一形態の光ピックアップ装置の平面図である。
【図２】光ピックアップ装置の底面図である。
【図３】図１の切断面線Ａ１−Ａ１から見た断面図である。
【図４】図１の切断面線Ｂ１−Ｂ１から見た断面図である。
【図５】図１の切断面線Ｃ１−Ｃ１から見た断面図である。
【図６】図１の切断面線Ｄ１−Ｄ１から見た断面図である。
【図７】図１の切断面線Ｅ１−Ｅ１から見た断面図である。
【図８】図１の切断面線Ｆ１−Ｆ１から見た断面図である。
【図９】図１の矢視Ｇ１から見た側面図である。
【図１０】ハウジング４６を示す図であり、図１０（１）はハウジング４６の底面図であり、図１０（２）は図１０（１）の切断面線Ｈ−Ｈから見た断面図であり、図１０（３）はハウジング４６の平面図である。
【図１１】治具４７の平面図である。
【図１２】図１１の右側から見た側面図である。
【図１３】図１１の切断面線Ｊ−Ｊから見た断面図である。
【図１４】ハウジング４６に光学部品を搭載した治具４７を組み付けた状態を示す平面図である。
【図１５】図１４の切断面線Ｋ−Ｋから見た断面図である。
【図１６】従来技術の光ピックアップ装置１を示す平面図である。
【図１７】光ピックアップ装置１の底面図である。
【図１８】図１６の切断面線Ａ−Ａから見た断面図である。
【図１９】図１６の切断面線Ｂ−Ｂから見た断面図である。
【図２０】図１６の切断面線Ｃ−Ｃから見た断面図である。
【００６４】
【図２１】図１６の切断面線Ｄ−Ｄから見た断面図である。
【図２２】図１６の切断面線Ｅ−Ｅから見た断面図である。
【図２３】図１６の矢視Ｆから見た側面図である。
【符号の説明】
【００６５】
３０  光ピックアップ装置
３１  光ディスク
３２  ＤＶＤレーザユニット
３３  プリズム
３４  １／４波長板
３５  コリメートレンズ
３６  ミラー
３７  対物レンズ
４０  ＣＤレーザユニット
４１  ＮＡ変換レンズ
４２，４３  ホログラム
４５  レーザ出力検出器
４６  ハウジング
５０ａ〜５０ｆ  庇部分
５１  第１嵌合孔
５２  第２嵌合孔
５３  第３嵌合孔
６１  第１位置決め孔
６２  第２位置決め孔
６５  第１支柱
６６  第２支柱
６７  第３支柱
６８  第４支柱
７９  接着部
【図１】
2009076130.tif 000003
【図２】
2009076130.tif 000004
【図３】
2009076130.tif 000005
【図４】
2009076130.tif 000006
【図５】
2009076130.tif 000007
【図６】
2009076130.tif 000008
【図７】
2009076130.tif 000009
【図８】
2009076130.tif 000010
【図９】
2009076130.tif 000011
【図１０】
2009076130.tif 000012
【図１１】
2009076130.tif 000013
【図１２】
2009076130.tif 000014
【図１３】
2009076130.tif 000015
【図１４】
2009076130.tif 000016
【図１５】
2009076130.tif 000017
【図１６】
2009076130.tif 000018
【図１７】
2009076130.tif 000019
【図１８】
2009076130.tif 000020
【図１９】
2009076130.tif 000021
【図２０】
2009076130.tif 000022
【図２１】
2009076130.tif 000023
【図２２】
2009076130.tif 000024
【図２３】
2009076130.tif 000025